(57)【特許請求の範囲】
【請求項１】
正面形状が略長円形の振動板と、補強部材と、第１のダンパと、フレームとを備えるスピーカであって、
前記振動板は、円形の２つのメガホン部と、互いのメガホン部外周縁を連結する８の字形のフラット部とが一体形成され、
前記補強部材は、前記フラット部と略同一形状であって、その一方の面が前記フラット部の裏側に固定され、
前記第１のダンパは、前記補強部材の他方の面と前記メガホン部の底部とを連結し、
前記フレームは、前記振動板の外周を保持する、
ことを特徴とするスピーカ。
【請求項２】
筒部材と、第２のダンパとを更に備え、
前記筒部材は、その上部が前記メガホン部の底部に固定され、
前記第２のダンパは、前記筒部材の下部と前記フレームとを連結する、
ことを特徴とする請求項１に記載のスピーカ。
【発明の詳細な説明】
【０００１】
【発明の属する技術分野】
この発明は、スピーカに関する。
【０００２】
【従来の技術】
従来から種々の音響機器等において、長軸（長径）と短軸（短径）との比率が異なるトラック形（楕円形や長円形等）のスピーカが用いられてきた。以下、図２を参照しながら、従来のトラック形のスピーカについて説明する。
図２（ａ）は、パッシブ構造のスピーカの一例を示す正面図である。また、図２（ｂ）は、図２（ａ）に示すＢ−Ｂ線に沿った断面図（長手方向の断面図）である。
【０００３】
図示するように、このスピーカは、正面形状が略長円形の振動板９１と、振動板９１を保持するダンパ９２と、ダストキャップ９３と、ウエイトの役目を果たすネジ９４，ナット９５と、フレーム９６とを含んで構成される。つまり、スピーカの中心部にウエイト（ネジ９４及びナット９５）が取り付けられており、そして、ダンパ９２が中心に１つだけ存在している。
【０００４】
このような構成のスピーカは、外部機器から振動が伝達され、伝達された振動に応じた音を放射する。つまり、スピーカの内部にコイル等の駆動系を持たない簡便な構成であるため、低コストに製造可能である。
また、正面形状が円形の通常のスピーカと比べて、省スペースであるという利点もある。
【０００５】
【発明が解決する課題】
しかしながら、図２に示すような従来のスピーカは、大入力時にリニアな動作が困難であり、音質を悪化させてしまうという問題があった。
これは、振動板９１が略長円形で、長軸と短軸との比率が大きく異なるためであり、これによって中心軸から振動板９１の外周部までの距離が不均一となることに起因している。
具体的には、ローリング等の現象が生じてしまい、高音質、高耐入力のスピーカシステムには不向きであるとされていた。
【０００６】
本発明は上記問題点に鑑みてなされたものであり、高音質及び、高耐入力のスピーカを提供することを目的とする。
【０００７】
【課題を解決するための手段】
上記目的を達成するため、本発明の第１の観点に係るスピーカは、
正面形状が略長円形の振動板と、補強部材と、第１のダンパと、フレームとを備えるスピーカであって、
前記振動板は、円形の２つのメガホン部と、互いのメガホン部外周縁を連結する８の字形のフラット部とが一体形成され、
前記補強部材は、前記フラット部と略同一形状であって、その一方の面が前記フラット部の裏側に固定され、
前記第１のダンパは、前記補強部材の他方の面と前記メガホン部の底部とを連結し、
前記フレームは、前記振動板の外周を保持する、
ことを特徴とする。
【００１０】
上記のスピーカは、筒部材と、第２のダンパとを更に備え、
前記筒部材は、その上部が前記メガホン部の底部に固定され、
前記第２のダンパは、前記筒部材の下部と前記フレームとを連結してもよい。
【００１１】
【発明の実施の形態】
本発明の実施の形態について、パッシブ構造のスピーカを一例として、図１を参照しながら説明する。
図１（ａ）は、本発明の実施の形態に係るスピーカの一例を示す正面図である。また、図１（ｂ）は、図１（ａ）に示すＡ−Ａ線に沿った断面図（長手方向の断面図）である。
【００１２】
図示するように、このスピーカは、振動板１と、リング２と、第１のダンパ３と、第２のダンパ４と、筒５と、ダストキャップ６と、ネジ７と、ナット８と、フレーム９とを備えて構成される。
【００１３】
振動板１は、正面形状がトラック形（略長円形）であり、円形の開口部を有する２つのメガホン部と、メガホン部の開口部（周縁）を連結する８の字形のフラット部とが一体形成されてなる。
振動板１は、フラット部の裏面にて、リング２と固着されている。
【００１４】
リング２は、振動板１のフラット部と同様に８の字形の補強部材であり、一方の面（上面）が、振動板１のフラット部の裏面と固着されており、振動板１を保持する。
また、リング２は、他方の面（下面）が、第１のダンパ３と固着されている。
【００１５】
第１のダンパ３は、リング２における輪（８の字形における２つの輪）に対応してそれぞれ配置され、振動板１を保持する。
具体的に第１のダンパ３は、リング２の下面に固着されると共に、振動板１のメガホン部の底部にネジ７及びナット８にて固定されている。
【００１６】
第２のダンパ４は、第１のダンパ３に対向するシャーシ９上にそれぞれ固着され、筒５を保持する。
【００１７】
筒５は、断面がコの字形の円筒であり、振動板１のメガホン部に対応してそれぞれ配置されている。
具体的に筒５は、上部が、第１のダンパ３にネジ７及びナット８にて固定され、また、下部が、第２のダンパ４に固着されている。
【００１８】
ダストキャップ６は、振動板１のメガホン部の底部を正面から覆うように、それぞれ配置されている。
【００１９】
ネジ７及びナット８は、振動板１におけるウエイトとして、それぞれのメガホン部の中心（底部の中心）に配置されている。
そして、ネジ７及びナット８は、振動板１と、第１のダンパ３と、筒５とを共締めする。具体的にネジ７は、振動板１のメガホン部の底部と、第１のダンパ３と、筒５の上面とを貫通し、ナット８と螺合する。
【００２０】
シャーシ９は、略長円形の開口部を有する筐体であり、上述の振動板１等を保持する。
【００２１】
上述した構成のスピーカは、外部機器から振動が伝達され、伝達された振動に応じた音を放射する。つまり、振動板１が振動して音を放射することとなるが、その際、良好な音質が確保される。
【００２２】
すなわち、振動板１において、メガホン部を中心としたそれぞれの中心軸から外周端までが、全周に渡ってほぼ等距離となるため、振動板１全体のバランスを適切にとることができる。
そして、リング２が振動板１を補強するリブとしても働くため、大入力時であっても、振動板１の変形を抑制し、振動板１をリニアに動作させることができる。
この結果、高音質、高耐入力のスピーカを実現できる。
【００２３】
また、リング２や筒５を振動板１と重ねて設けることで、リブ効果で振動板１の変形を防ぎ、良好な振動状態を確保できる。
【００２４】
また、第１のダンパ３がフレーム９に固定されていないため、振動板１の円滑な振動を確保できる。
【００２５】
上記の実施の形態では、振動板１が２つのメガホン部を含んで形成されている場合を一例として説明したが、３つ以上のメガホン部を含んで形成されている振動板等であっても、同様な効果が得られる。
【００２６】
上記の実施の形態では、パッシブ構造のスピーカを一例として説明したが、他にコイル等の駆動系を備えたスピーカに対しても適宜適用可能である。
【００２７】
【発明の効果】
以上説明したように、本発明によれば、高音質及び、高耐入力のスピーカを実現できる。
【図面の簡単な説明】
【図１】本発明の実施の形態に係るスピーカの一例を示す図であって、（ａ）が正面図であり、（ｂ）が断面図である。
【図２】従来のスピーカの一例を示す図であって、（ａ）が正面図であり、（ｂ）が断面図である。
【符号の説明】
１  振動板
２  リング
３  第１のダンパ
４  第２のダンパ
５  筒
６  ダストキャップ
７  ネジ
８  ナット
９  フレーム
【図１】
0003743842.tif 000002
【図２】
0003743842.tif 000003